(57)【要約】【課題】本発明は、監視者が監視室を離れても監視映像を閲覧することができる映像配信システムにおけるカメラを提供することを目的とする。【解決手段】カメラ１は監視対象エリアを撮像し、映像信号をネットワーク３へ伝送する。映像信号はネットワーク３を介して、図示しないが表示装置や画像記録装置等に配信される。また、カメラ１は映像信号をワンセグ用のコンテンツに変換し、エリアワンセグとしてアンテナ２から限定された地域に電波が届くレベルでワンセグ放送波を無線伝送する。【選択図】図１
2012085151.tif 000002
【特許請求の範囲】
【請求項１】
入射した光を光電変換して映像信号を出力する撮像部と、
前記映像信号を所定の圧縮方式で圧縮して映像データに変換する圧縮部と、
前記圧縮部で圧縮された映像データをワンセグ放送波に変換し、限定された地域に電波が届くレベルで無線伝送するワンセグ出力部と、
を備えることを特徴とするカメラ。
【発明の詳細な説明】
【技術分野】
【０００１】
本発明は、撮像した映像をネットワークや無線で伝送するカメラ関する。
【背景技術】
【０００２】
映像監視システムは、ホテルやビル、コンビニエンスストア金融機関、ダムまたは道路等といった様々な公共施設等において、犯罪抑止や事故防止等の目的で設置されている。この様な施設で映像監視システムを運用する場合、通常、各所に設けられたネットワークカメラやアナログカメラから、ネットワークや専用線を介して撮像映像を監視室に伝送し、監視室のモニタに表示したり記録装置に記録したりしている。
【０００３】
例えば、特許文献１には、複数の監視カメラが監視映像を、ネットワークを介して配信し、監視局にて纏めて閲覧する映像監視システムが記載されている。
【０００４】
また、例えば、特許文献２には、限定された地域で利用される情報を、ミニＴＶ放送局からワンセグ放送を利用して限定された地域に電波が届くレベルで無線伝送することが記載されている。
【先行技術文献】
【特許文献】
【０００５】
【特許文献１】特開２００８−２８８７７３号公報
【特許文献２】特開２００６−２７９３７６号公報
【発明の概要】
【発明が解決しようとする課題】
【０００６】
この様な映像監視システムの場合、監視者が監視室でモニタを見ている分には良いが、見回り等で監視室から離れる際に監視映像を見ることができなくなり、何か起こった際に気付くのが遅れたり気付かなかったりすることがある。
【０００７】
この様な課題を鑑み、本発明は、監視者が監視室を離れても監視映像を閲覧することができる映像配信システムにおけるカメラを提供することを目的とする。
【課題を解決するための手段】
【０００８】
本発明のカメラ装置は、入射した光を光電変換して映像信号を出力する撮像部と、前記映像信号を所定の圧縮方式で圧縮して映像データに変換する圧縮部と、前記圧縮部で圧縮された映像データをワンセグ放送波に変換し、限定された地域に電波が届くレベルで無線伝送するワンセグ出力部と、を備えることを特徴とする。
【発明の効果】
【０００９】
本発明によると、カメラ自身にワンセグ配信機能を持たせ、限定された地域に電波が届くレベルでワンセグ放送波を無線伝送すること（以降、エリアワンセグ）で、限定された地域の中であればどこにいてもカメラで撮像した映像を閲覧することが可能となる。
【図面の簡単な説明】
【００１０】
【図１】本発明の一実施例の映像監視システムのブロック図である。
【図２】本発明の一実施例のカメラの内部ブロック図である。
【発明を実施するための形態】
【００１１】
以下、図面を参照して本発明の実施形態について詳細に説明する。
【００１２】
図１は、本発明の一実施例の映像監視システムのブロック図である。図１において、１は監視エリアを撮像して映像信号を出力するカメラ、２はカメラ１が作成した映像コンテンツをエリアワンセグ配信する電波を輻射するアンテナ、３はＬＡＮ（Local Area Network）等のネットワーク、４はワンセグモジュールを備え、ワンセグ放送を視聴可能な携帯電話やメディアプレイヤー等の受信端末である。
【００１３】
カメラ１は監視対象エリアを撮像し、映像信号をネットワーク３へ伝送する。映像信号はネットワーク３を介して、図示しないが表示装置や画像記録装置等に配信される。また、カメラ１は映像信号をワンセグ用のコンテンツに変換し、エリアワンセグとしてアンテナ２から限定された地域に電波が届くレベルでワンセグ放送波を無線伝送する。
【００１４】
アンテナ２から無線伝送されたワンセグ放送波は、受信端末４で受信され、番組として再生される。
【００１５】
なお、カメラ１によるネットワークへの伝送と、エリアワンセグとしての無線伝送は、同時になされても良く、どちらか一方のみでも良い。また、カメラが複数である場合、それぞれ周波数を変えて別チャンネルとして伝送する様にしても良い。
【００１６】
図２は、本発明の一実施例のカメラの内部ブロック図である。図２において、１０１は前方のからの入射光を光電変換して映像信号を出力する撮像部、１０２は撮像部１から出力された映像信号をＪＰＥＧ（Joint Photographic Experts Group）やＭＰＥＧ−４（Moving Picture Experts Group phase 4）、Ｈ．２６４等のデジタルデータへ圧縮するための映像圧縮部、１０３は映像圧縮部１０２によりデジタルデータへ圧縮された映像データをネットワークで配信するためにパケット化等の処理をするネットワーク処理部、１０４はネットワーク処理部１０３で処理された配信データをネットワーク３へ配信するためのインターフェース部、１０５は撮像部１０１で取得した映像信号をアナログ映像のまま配信するための処理をするアナログ処理部、１０６はアナログ処理部１０５で処理されたアナログ映像信号を専用ケーブルを介して接続された表示装置等へ出力するためのアナログ出力部、１０７は映像圧縮部１０２で圧縮された映像データをコンテンツとしてワンセグ放送用の信号に変換するエリアワンセグ処理部、１０８はエリアワンセグ処理部１０７で変換されたワンセグ放送用のコンテンツ信号を送信するためにアンテナ２へ出力するエリアワンセグ出力部、１０９はカメラ１の各部を制御する制御部、１１０は各部間のデータ受け渡しや設定データの保持のためのメモリである。
【００１７】
撮像部１は前方の監視エリアからの入射光を光電変換して映像信号を生成し、映像圧縮部１０２および／またはアナログ処理部１０５に出力する。映像圧縮部１０２は映像信号をＪＰＥＧやＭＰＥＧ−４、Ｈ．２６４等の規格に沿って圧縮し、ネットワーク処理部１０３および／またはエリアワンセグ処理部１０７へ出力する。
【００１８】
ネットワーク処理部１０３は圧縮された映像データをネットワークで配信するためにパケット化等の処理をし、インターフェース部１０４へ出力する。インターフェース部１０４はネットワーク処理された映像データパケットをネットワーク３へ出力する。
【００１９】
アナログ処理部１０５は撮像部１から出力されたアナログ映像信号を専用ケーブルへ出力するために所定の処理をし、アナログ出力部１０６へ出力する。アナログ出力部１０６はアナログ映像信号を専用ケーブルへ出力する。
【００２０】
エリアワンセグ処理部１０７は圧縮処理された映像データを、ワンセグ放送用のコンテンツとして、
ＵＨＦ帯４７０ＭＨｚ〜７７０ＭＨｚの内の空きチャンネルの周波数の信号に変換し、エリアワンセグ出力部１０８へ出力する。このとき、映像に文字情報や視覚効果等を付加しておいても良い。エリアワンセグ出力部１０８はメモリ１１０に記憶された設定値に従って、限定された地域に電波が届くレベルでワンセグ放送波を輻射できる様にアンテナ２へ出力し、アンテナ２より限定された地域に電波が届くレベルでワンセグ放送波が輻射される。
【００２１】
以上に説明した様に、本発明によれば、カメラ自身にワンセグ配信機能を持たせ、エリアワンセグとして限定された地域に電波が届くレベルでワンセグ放送波を無線伝送することで、限定された地域の中であればどこにいてもカメラで撮像した映像を閲覧することが可能となる。
【００２２】
要するに本発明は、上記各実施形態そのままに限定されるものではなく、実施段階ではその要旨を逸脱しない範囲で構成要素を変形して具体化できる。また、上記各実施形態に開示されている複数の構成要素の適宜な組み合せにより種々の発明を形成できる。例えば、各実施形態に示される全構成要素から幾つかの構成要素を削除してもよい。さらに、異なる実施形態に亘る構成要素を適宜組み合せてもよい。
【符号の説明】
【００２３】
１：カメラ、２：アンテナ、３：ネットワーク、４：受信端末、１０１：撮像部、１０２：映像圧縮部、１０３：ネットワーク処理部、１０４：インターフェース部、１０５：アナログ処理部、１０６：アナログ出力部、１０７：エリアワンセグ処理部、１０８：エリアワンセグ出力部、１０９：制御部、１１０：メモリ部。
【図１】
2012085151.tif 000003
【図２】
2012085151.tif 000004